(57)【要約】【課題】複数本の光ファイバプラグを確実に容易に着脱することができるコネクタユニットを提供する。【解決手段】コネクタユニット１０は、複数本の光ファイバプラグ１１と、複数本の光ファイバプラグを挿入して位置決めする位置決め部材１２と、光ファイバプラグの先端部を挿入して接続するアダプタ２０と、位置決め部材１２をアダプタ２０側に押し付けて光ファイバプラグ１１の先端部をアダプタ２０に挿入させるための接続具４０と、位置決め部材１２に係合して引くことでアダプタ２０から複数本の光ファイバプラグ１１を取り外すための取外具５０を備える。【選択図】図２
2009210669.tif 000002
【特許請求の範囲】
【請求項１】
複数本の光ファイバプラグと、
前記複数本の光ファイバプラグを挿入して位置決めする位置決め部材と、
前記光ファイバプラグの先端部を挿入して接続するアダプタと、
前記位置決め部材を前記アダプタ側に押し付けて前記光ファイバプラグの先端部を前記アダプタに挿入させるための接続具と、
前記位置決め部材に係合して引くことで前記アダプタから前記複数本の光ファイバプラグを取り外すための取外具と、
を備えることを特徴とするコネクタユニット。
【請求項２】
前記接続具は、取り付け対象の前記複数本の光ファイバプラグの外側に配置されることを特徴とする請求項１に記載のコネクタユニット。
【請求項３】
前記接続具は、前記位置決め部材に突き当てて押すための押圧部と、前記押圧部に接続されて押圧部に対して力を与えるための操作部と、を有することを特徴とする請求項２に記載のコネクタユニット。
【請求項４】
前記取外具は、取り外し対象の前記複数本の光ファイバプラグの外側に配置されることを特徴とする請求項１〜請求項３のいずれか１つの項に記載のコネクタユニット。
【請求項５】
前記取外具は、前記位置決め部材に形成された突起部に係合する係合部を有することを特徴とする請求項４に記載のコネクタユニット。
【発明の詳細な説明】
【技術分野】
【０００１】
本発明は、コネクタユニットに関し、特に複数本の光ファイバプラグが着脱可能なコネクタユニットに関する。
【背景技術】
【０００２】
複数本の光ファイバプラグが、例えば機器のアダプタに対して装着する場合がある。この場合には、各光ファイバプラグは、アダプタに対して１本ずつ挿入して接続する必要がある。このような技術は、特許文献１と特許文献２に開示されている。
【特許文献１】特開平５−１１９２３９号公報
【特許文献２】特開平１０−３１１３１号公報
【発明の開示】
【発明が解決しようとする課題】
【０００３】
ところが、特許文献１と特許文献２では、アダプタに対して光ファイバプラグを接続する作業および取り外す作業は、大変作業が面倒であり、光ファイバプラグの数が多いほど作業時間がかかってしまう。
そこで、本発明は上記課題を解消するために、複数本の光ファイバプラグを確実に容易に着脱することができるコネクタユニットを提供することを目的とする。
【課題を解決するための手段】
【０００４】
上記課題を解消するために、本発明のコネクタユニットは、複数本の光ファイバプラグと、
前記複数本の光ファイバプラグを挿入して位置決めする位置決め部材と、
前記光ファイバプラグの先端部を挿入して接続するアダプタと、
前記位置決め部材を前記アダプタ側に押し付けて前記光ファイバプラグの先端部を前記アダプタに挿入させるための接続具と、
前記位置決め部材に係合して引くことで前記アダプタから前記複数本の光ファイバプラグを取り外すための取外具と、を備えることを特徴とする。
【０００５】
本発明のコネクタユニットは、好ましくは前記接続具は、取り付け対象の前記複数本の光ファイバプラグの外側に配置されることを特徴とする請求項１に記載のコネクタユニット。
【０００６】
本発明のコネクタユニットは、好ましくは前記接続具は、前記位置決め部材に突き当てて押すための押圧部と、前記押圧部に接続されて押圧部に対して力を与えるための操作部と、を有することを特徴とする。
【０００７】
本発明のコネクタユニットは、好ましくは前記取外具は、取り外し対象の前記複数本の光ファイバプラグの外側に配置されることを特徴とする。
本発明のコネクタユニットは、好ましくは前記取外具は、前記位置決め部材に形成された突起部に係合する係合部を有することを特徴とする。
【発明の効果】
【０００８】
本発明によれば、複数本の光ファイバプラグを確実に容易に着脱することができるコネクタユニットを提供できる。
【発明を実施するための最良の形態】
【０００９】
以下、図面を参照して、本発明の好ましい実施形態を詳細に説明する。  
図１は、本発明のコネクタユニットの好ましい実施形態における一部を示す斜視図である。図２と図３は、コネクタユニットの全体構造例を示している。
図１と図２に示すように、コネクタユニット１０は、複数本の光ファイバプラグ１１を位置決めして接続するのに用いられる。図２に示すように、コネクタユニット１０は、１６本の光ファイバプラグ１１と、４つの位置決め部材１２を有している。
【００１０】
図１に示すのは、１枚の位置決め部材１２と４本の光ファイバプラグ１１である。光ファイバプラグ１１は、ブーツ１１Ｂを有しており、光ファイバＦを保持している。光ファイバプラグ１１のフェルール先端部１４には、光ファイバＦの先端部が露出している。
図１に示すように、位置決め部材１２は、Ｓ方向に沿って４つのプラグ挿入穴１３を有している。各光ファイバプラグ１１は、対応する位置のプラグ挿入穴１３に挿入されることにより、相互にＴ方向に沿って平行に位置決めされるようになっている。また、位置決め部材１２の一端部１２Ｂと他端部１２Ｃには、突起部１９が形成されている。
【００１１】
図２と図３に示すアダプタ２０は、例えば機器のケーシングに取り付けられる。アダプタ２０は、光ファイバプラグ１１の数と同数のプラグ案内穴部２１を有している。各プラグ案内穴部２１には、光ファイバプラグ１１のフェルール先端部１４が挿入して光学的に接続されるようになっている。
図２と図３に示す例では、４つの位置決め部材１２がアダプタ２０に対して対面するようになっており、合計１６本の光ファイバプラグ１１が、対応する位置のプラグ案内穴部２１にはめ込んで接続されている。
【００１２】
図２に示すように、コネクタユニット１０は、光ファイバプラグ１１を接続する場合に用いる接続具４０を有している。また、図３に示すように、コネクタユニット１０は、光ファイバプラグ１１を取り外す場合に用いる取外具５０を有している。接続具４０と取外具５０は、ともに例えば薄板部材を曲げることで形成されている。
【００１３】
図２に示す接続具４０は、作業者が各位置決め部材１２に対して押し当てることにより位置決め部材１２とともに４本の光ファイバプラグ１１をアダプタ２０のプラグ案内穴部２１に対して挿入するための治具である。接続具４０は、例えばプラスチックあるいは金属により作られており、押圧部４１と、２つの操作部４２を有している。
押圧部４１は、長方形状の枠部材であり、相対する２つの長辺部４３と、相対する２つの短辺部４４を有している。２つの長辺部４３と２つの短辺部４４は、位置決め部材１２の突き当て面１２Ｂに対して突き当てるようになっている。
２つの操作部４２は、平行に形成されており、各操作部４２の一端部４５は、長辺部４３の中間位置に接続されている。各操作部４２の他端部４６は、作業者が指で持つ部分である。
【００１４】
また、図３に示す取外具５０は、第１部材５１と第２部材５２を有している。第１部材５１の一端部と第２部材５２の一端部は、位置決め部材１２の突起部１９に係合する係合部５３である。この係合部５３は、例えばほぼＬ字形である。第１部材５１の他端部５４と第２部材５２の他端部５４は、作業者が指で持つ部分である。
【００１５】
次に、図１〜図３を参照して、コネクタユニット１０における光ファイバプラグ１１の接続方法と光ファイバプラグ１１の取り外し方法について説明する。
図１に示すように、４本の光ファイバプラグ１１は、位置決め部材１２の対応する位置のプラグ挿入穴１３に挿入されることにより、相互に位置決めされる。このような４本の光ファイバプラグ１１と位置決め部材１２の組み立て体は、４組作製する。
【００１６】
そして、図２に示すように、４組の光ファイバプラグ１１と位置決め部材１２の組み立て体は、アダプタ２０に対して接続具４０を用いて順次装着していく。すなわち、作業者が、接続具４０の押圧部４１を、各位置決め部材１２に対してＴ方向に沿って押し当てることにより、位置決め部材１２とともに４本の光ファイバプラグ１１のフェルール先端部を、アダプタ２０のプラグ案内穴部２１に対して挿入する。この場合に、接続具４０の押圧部４１と２つの操作部４２の内側には取り付けの対象である４本の光ファイバプラグ１１が位置される。従って、これらの光ファイバプラグ１１が挿入作業の障害になることはなく、挿入作業を容易に行うことができる。このような挿入動作は、各位置決め部材１２について行う。
【００１７】
逆に、図３に示すように、アダプタ２０に対して既に取り付けられた４組の光ファイバプラグ１１と位置決め部材１２の組み立て体を、アダプタ２０から取り外す際には、取外具５０の第１部材５１の係合部５３と第２部材５２の係合部５３を、対応する突起部１９に掛ける。
そして、作業者がＴ１方向に沿って取外具５０の第１部材５１と第２部材５２を引くことにより、４組の光ファイバプラグ１１と位置決め部材１２の組み立て体をアダプタ２０から順次簡単に取り外すことができる。この場合に、取外具５０の第１部材５１と第２部材５２の内側に、取り外しの対象となる４本の光ファイバプラグ１１が位置されるので、これらの光ファイバプラグ１１が位置決め部材１２と光ファイバプラグ１１の取り外し作業の障害になることはない。従って、取り外し作業が容易に行える。
【００１８】
本発明のコネクタユニットは、複数本の光ファイバプラグと、複数本の光ファイバプラグを挿入して位置決めする位置決め部材と、光ファイバプラグの先端部を挿入して接続するアダプタと、位置決め部材をアダプタ側に押し付けて光ファイバプラグの先端部をアダプタに挿入させるための接続具と、位置決め部材に係合して引くことでアダプタから複数本の光ファイバプラグを取り外すための取外具と、を備える。これにより、アダプタに対して複数本の光ファイバプラグを確実に容易に着脱することができる
【００１９】
接続具は、取り付け対象の複数本の光ファイバプラグの外側に配置される。これにより、光ファイバプラグが取り付け作業の障害とならないので、取り付け作業が容易にできる。
接続具は、位置決め部材に突き当てて押すための押圧部と、押圧部に接続されて押圧部に対して力を与えるための操作部と、を有することを特徴とする。これにより、取り付け対象の複数本の光ファイバプラグは、位置決め部材を介してアダプタに対して確実に取り付けることができる。
【００２０】
取外具は、取り外し対象の複数本の光ファイバプラグの外側に配置される。これにより、光ファイバプラグが取り外し作業の障害とならないので、光ファイバプラグの取り外し作業が容易にできる。
取外具は、位置決め部材に形成された突起部に係合する係合部を有する。これにより、取外具は、位置決め部材に対して簡単に取り付けることができ、光ファイバプラグの取り外し作業が容易にできる。
【００２１】
ところで、本発明は、上記実施形態に限定されず種々の変形例を採用できる。
例えば、接続具４０と取外具５０の形状は、図示例に限定されない。また、位置決め部材により位置決めされる光ファイバプラグの本数は、特に限定されない。
【図面の簡単な説明】
【００２２】
【図１】本発明のコネクタユニットの好ましい実施形態における位置決め部材と複数本の光ファイバプラグを示す斜視図である。
【図２】コネクタユニットのアダプタに対して位置決め部材を押して光ファイバプラグを接続する接続具を示す斜視図である。
【図３】コネクタユニットのアダプタから位置決め部材と光ファイバプラグを取り外すための取外具を示す斜視図である。
【符号の説明】
【００２３】
１０        コネクタユニット
１１        光ファイバプラグ
１２        位置決め部材
１４        フェルール先端部
１９        突起部
２０        アダプタ
２１        プラグ案内穴部
４０        接続具
５０        取外具
【図１】
2009210669.tif 000003
【図２】
2009210669.tif 000004
【図３】
2009210669.tif 000005